(57)【要約】【課題】操作レバーの設置面積の小型化が可能な電子機器及び撮像装置を提供する。【解決手段】前面穴１１を有する前板１０と、前面穴１１を塞ぐ閉位置と、前面穴１１が開口する開位置との間で、前板１０に対して移動可能なスライドカバー６０と、少なくとも、スライドカバー６０が閉位置と開位置との間に位置する閉中間位置よりも閉位置側に位置するときにスライドカバー６０を閉位置に向かう方向に付勢すると共に、少なくとも、スライドカバー６０が閉中間位置と開位置との間に位置する開中間位置よりも開位置側に位置するときにスライドカバー６０を開位置に向かう方向に付勢する中立バネ６５と、スライドカバー６０と当接可能であり、スライドカバー６０を閉中間位置および開中間位置の間で移動させることが可能なノブ５０と、を備える。【選択図】図５
2013029629.tif 000002
【特許請求の範囲】
【請求項１】
開口部を有する外装部材と、
前記開口部を塞ぐ閉位置と、前記開口部が開口する開位置との間で、前記外装部材に対して移動可能なスライドカバーと、
少なくとも、前記スライドカバーが前記閉位置と前記開位置との間に位置する第１位置よりも閉位置側に位置するときに前記スライドカバーを前記閉位置に向かう方向に付勢する第１弾性部材と、
少なくとも、前記スライドカバーが前記第１位置と前記開位置との間に位置する第２位置よりも開位置側に位置するときに前記スライドカバーを前記開位置に向かう方向に付勢する第２弾性部材と、
前記スライドカバーと当接可能であり、前記スライドカバーを前記第１位置および前記第２位置の間で移動させることが可能なノブと、
を備えた電子機器。
【請求項２】
前記スライドカバーは、前記ノブによって前記第１位置まで移動されるとその後に前記第１弾性部材によって前記第１位置から前記閉位置まで移動され、前記ノブによって前記第２位置まで移動されるとその後に前記第２弾性部材によって前記第２位置から前記開位置まで移動される、
請求項１記載の電子機器。
【請求項３】
前記第１弾性部材および前記第２弾性部材は、単一の中立バネにより構成される、請求項２記載の電子機器。
【請求項４】
開口部を有する外装部材と、
前記開口部を塞ぐカバー部を有し、前記カバー部が前記開口部を塞ぐ閉位置と、前記開口部が開口する開位置との間で、前記外装部材に対して移動可能なスライドカバーと、
少なくとも、前記スライドカバーが前記閉位置と前記開位置との間に位置する第１位置よりも閉位置側に位置するときに前記スライドカバーを前記閉位置に向かう方向に付勢する第１弾性部材と、
少なくとも、前記スライドカバーが前記第１位置と前記開位置との間に位置する第２位置よりも開位置側に位置するときに前記スライドカバーを前記開位置に向かう方向に付勢する第２弾性部材と、
前記スライドカバーと当接可能であり、前記スライドカバーを前記第１位置および前記第２位置の間で移動させることが可能なノブと、
前記開口部から入射する被写体像を撮像して画像データを出力する撮像部と、
を備えた撮像装置。
【発明の詳細な説明】
【技術分野】
【０００１】
本発明は、スライドカバーを備える電子機器及び撮像装置に関する。
【背景技術】
【０００２】
従来、筐体の一部を構成する前板と、前板に固定されるレンズと、前板に形成される開口の内側にスライド可能に取り付けられるスライドカバーと、スライドカバーを操作可能な操作レバーと、を備える電子機器としてのデジタルカメラが知られている（特許文献１参照）。特許文献１のデジタルカメラでは、ユーザが操作レバーを操作することによりスライドカバーがスライドし、その結果、レンズを露出することができる。
【先行技術文献】
【特許文献】
【０００３】
【特許文献１】特開平１１−２３７６５８号公報
【発明の概要】
【発明が解決しようとする課題】
【０００４】
上記のような手動のレンズカバー開閉機構を備えた従来のデジタルカメラにおいても、機器全体の小型化が求められている。そのため、操作レバーの設置面積についても小型化することが望まれている。
【０００５】
本発明は、上述の状況に鑑みてなされたものであり、操作レバーの設置面積の小型化が可能な電子機器及び撮像装置を提供することを目的とする。
【課題を解決するための手段】
【０００６】
本発明に係る電子機器は、開口部を有する外装部材と、開口部を塞ぐ閉位置と、開口部が開口する開位置との間で、外装部材に対して移動可能なスライドカバーと、少なくとも、スライドカバーが閉位置と開位置との間に位置する第１位置よりも閉位置側に位置するときにスライドカバーを閉位置に向かう方向に付勢する第１弾性部材と、少なくとも、スライドカバーが第１位置と開位置との間に位置する第２位置よりも開位置側に位置するときにスライドカバーを開位置に向かう方向に付勢する第２弾性部材と、スライドカバーと当接可能であり、スライドカバーを第１位置および第２位置の間で移動させることが可能なノブと、を有する。
【発明の効果】
【０００７】
本発明によれば、操作レバーの設置面積の小型化が可能な電子機器を提供することができる。
【図面の簡単な説明】
【０００８】
【図１】実施形態に係るデジタルカメラ１００の斜視図
【図２】実施形態に係るデジタルカメラ１００の分解斜視図
【図３】実施形態に係るデジタルカメラ１００の正面図
【図４】実施形態に係るデジタルカメラ１００の断面図
【図５】実施形態に係るデジタルカメラ１００のスライドカバー６０が開くときの様子を示す図
【図６】実施形態に係るデジタルカメラ１００のスライドカバー６０が閉まるときの様子を示す図
【発明を実施するための形態】
【０００９】
次に、図面を用いて、本発明の実施形態について説明する。以下の図面の記載において、同一又は類似の部分には、同一又は類似の符号を付している。ただし、図面は模式的なものであり、各寸法の比率等は現実のものとは異なっている場合がある。従って、具体的な寸法等は以下の説明を参酌して判断すべきである。また、図面相互間においても互いの寸法の関係や比率が異なる部分が含まれていることは勿論である。
【００１０】
なお、以下の実施形態では、スライドカバーを備える電子機器としてデジタルカメラを例に挙げて説明する。以下の説明では、通常姿勢（以下、横撮り姿勢ともいう）のデジタルカメラを基準として、被写体に向かう方向を「前方」、被写体の反対に向かう方向を「後方」、鉛直上方を「上方」、鉛直下方を「下方」、被写体に正対した状態における右向きを「右方」、被写体に正対した状態における左向きを「左方」、と表現する。また、以下の実施形態では、デジタルカメラの撮影待機状態がスライドカバーの開状態に対応し、デジタルカメラの再生状態または電源オフ状態がスライドカバーの閉状態に対応する。
【００１１】
（デジタルカメラ１００の全体構成）
実施形態に係るデジタルカメラ１００の全体構成について、図面を参照しながら説明する。図１（ａ）は、実施形態に係るデジタルカメラ１００を前方から見た斜視図である。図１（ｂ）は、実施形態に係るデジタルカメラ１００を後方から見た斜視図である。図２は、実施形態に係るデジタルカメラ１００を後方から見た分解斜視図である。なお、図２では、モニタ７０及びレンズ８０が省略されている。
【００１２】
図３は、実施形態に係るデジタルカメラ１００のスライドカバー閉状態および開状態を示す正面図である。図４は、図３のＡ−Ａの線における断面図である。
【００１３】
デジタルカメラ１００は、前板１０（「外装部材」の一例）と、後板２０と、ノブ５０と、スライドカバー６０と、を備える。前板１０、後板２０、スライドカバー６０は本実施形態に係る「筐体」を構成する。
【００１４】
前板１０は、デジタルカメラ１００の前方に配置される。前板１０は、ノブ５０と、スライドカバー６０を有する。後板２０は、デジタルカメラ１００の後方に配置される。ノブ５０は、上下方向に沿ってスライド可能に前板１０の前方に取り付けられる。ノブ５０は、スライドカバー６０と連動している。ノブ５０の構造については後述する。スライドカバー６０は、上下方向に沿ってスライド可能に前板１０の裏側に取り付けられる。スライドカバー６０は、ノブ５０を上方に摺動することで閉状態となり、下方に摺動することで開状態となる。スライドカバー６０の構成については後述する。レンズ４０は、カバーホルダー７０と後板２０の間に配置される。レンズ４０は、スライドカバー６０が閉状態の場合にスライドカバー６０によって覆われ、スライドカバー６０が開状態の場合に前面穴１１（開口部に対応）から露出する。
【００１５】
デジタルカメラ１００の筐体内には、ＣＭＯＳイメージセンサー、ＣＣＤイメージセンサー等を有する撮像部（図示せず）を備えている。スライドカバー６０が開状態でありデジタルカメラ１００が撮影待機状態であるときに、前板１０の前面穴１１およびレンズ４０を通して入射した被写体像を撮像部が撮像し、画像データを出力する。画像処理部（図示せず）がこの画像データに対してフィルタ処理や符号化処理等の各種処理を行った後、メモリカード（図示せず）等の記録媒体に記録する。
【００１６】
（前板１０の構成）
実施形態に係る前板１０の構成について、図面を参照しながら説明する。図２は、実施形態に係るデジタルカメラ１００を後方から見た分解斜視図である。なお、図２では、モニタ７０及びレンズ４０が省略されている。前板１０は、前面穴１１と、固定ボス１６と、ノブ開口部１７と、ノブホルダーレール１８を有する。
【００１７】
前面穴１１は、前板１０の上部中央付近に形成される。スライドカバー６０が開状態のときは、前面穴１１を通して外部の光がレンズ４０に入射する。
【００１８】
ノブ開口部１７はノブ５０の移動時にボス５７が当接しない様、穴を形成している。ノブホルダーレール１８はノブホルダー８０の前面の上下に前方に向け突出しているピン８８（後述）が取り付き、ノブホルダー８０が上下に平行に可動する様、動きを規制している。
【００１９】
カバーホルダー７０は、前板１０の後方に配置される。カバーホルダー７０は、バネ掛けボス７０ｂと、バネ可動穴７２と、レンズ開口穴７３と、ビス穴７６と、カバーレール７８を有する。カバーホルダー７０のビス穴７６を通してビス９６が固定ボス１６に締結されることにより、カバーホルダー７０は前板１０の背面に固定される。
【００２０】
中立バネ６５は、スライドカバー６０を開状態および閉状態のそれぞれの状態を保持するように付勢するバネである。中立バネ６５の両端には各々バネ掛け部６５ａおよびバネ掛け部６５ｂが設けられている。バネ掛けボス７０ｂはバネ掛け部６５ｂに掛けられている。またバネ掛けボス７０ｂを中心とし中立バネ６５は回転する。
【００２１】
バネ可動穴７２は中立バネ６５の可動範囲を制限しないように形成された穴である。
【００２２】
レンズ開口穴７３はカバーホルダー７０上部左右に形成される。スライドカバー６０が開状態のときは、レンズ開口穴７３を通して外部の光がレンズ４０に入射する。
【００２３】
カバーレール７８はスライドカバー６０のスライドピン６８（後述）が取り付き、スライドカバー６０が上下に平行に可動する様、動きを規制している。
【００２４】
（スライドカバー６０の構成）
実施形態に係るスライドカバー６０の構成について、図面を参照しながら説明する。図２は、実施形態に係るデジタルカメラ１００を後方から見た分解斜視図である。なお、図２では、モニタ７０及びレンズ４０が省略されている。
【００２５】
スライドカバー６０は、バネ掛けピン６０ａと、引っ掛け部６１、スライドピン６８を有する。スライドカバー６０は前板１０とカバーホルダー７０の間に上下方向に沿ってスライド可動する様に配置される。
【００２６】
スライドカバー６０は、スライドピン６８がカバーレール７８に取り付くことで、上下方向に平行を保ち可動する。上側のスライドピン６８ａがカバーレール７８の上端に当接した状態が、スライドカバー６０の閉状態に対応する。また、下側のスライドピン６８ｂがカバーレール７８の下端に当接した状態が、スライドカバー６０の開状態に対応する。すなわち、スライドカバー６０の可動範囲のうち上端に位置するときが閉状態である。また、スライドカバー６０の可動範囲のうち下端に位置するときが開状態である。上下のスライドピン６８ａまたは６８ｂがカバーレール７８の上端または下端に当接することにより、スライドカバー６０の上下方向の運動を規制している。
【００２７】
中立バネ６５は、バネ掛けボス７０ｂとバネ掛けピン６０ａに取り付き可動範囲中間地点を越えると、反対方向に付勢力が反転する様になっている。バネ掛けピン６０ａにバネ掛け部６５ａを取り付け、バネ掛けボス７０ｂにバネ掛け部６５ｂを取り付けることにより、中立バネ６５の付勢力をスライドカバーに伝える。
【００２８】
ビス９７が、ノブホルダー８０のビス穴８７および前板１０のノブ開口部１７を通してノブ５０に締結される。これにより、ノブ５０は前板１０を挟み込んだ状態でノブホルダー８０に対してビス９７にて固定される。操作者がノブ５０を上下方向に移動させようとすると、ノブホルダー８０のピン８８がノブホルダレール１８に案内され、ノブ５０とノブホルダー８０とが一体となって移動する。
【００２９】
引っ掛け部６１はスライドカバー６０の背面の右下端部から後方に突出している。引っ掛け部６１は、ノブホルダー８０に上下方向に設けられた長穴８１に挿入されている。引っ掛け部６１は、長穴８１内を上下に可動する様に配置されている。長穴８１の上下方向の長さは、引っ掛け部６１の上下方向の長さに対して、余裕が有る。引っ掛け部６１と長穴８１に上下方向の余裕が有る為、ユーザーによりノブ５０を上下方向に可動させた時、スライドカバー６０の可動範囲の中間地点を越える辺りまでしか連動しない。中間地点付近から中立バネ６５の反転力が働き、残りのスライドカバー６０の可動量を補う。従ってノブ５０の上下方向の可動範囲はスライドカバーの可動範囲と比べて小さくなっている。
【００３０】
（スライドカバーの動作）
実施形態に係るスライドカバーの動作について、図面を参照しながら説明する。図５（ａ）は閉状態の前方向から見た図である。図５（ｂ）は閉状態の後方向から見た図である。図５（ｃ）は開中間状態の前方向から見た図である。図５（ｄ）は開中間状態の後方向から見た図である。図５（ｅ）は開状態の前方向から見た図である。図５（ｆ）は開状態の後方向から見た図である。図６（ａ）は閉状態の前方向から見た図である。図６（ｂ）は閉状態の後方向から見た図である。図６（ｃ）は閉中間状態の前方向から見た図である。図６（ｄ）は閉中間状態の後方向から見た図である。図６（ｅ）は開状態の前方向から見た図である。図６（ｆ）は開状態の後方向から見た図である。
【００３１】
（閉→開）
図５（ａ）（ｂ）に示すようにスライドカバー６０が閉状態にある時、ノブ５０は可動範囲の上端に位置している。このときのスライドカバー６０の位置を閉位置とする。ユーザーがノブ５０を、ノブ５０の可動範囲の下端まで移動させると、スライドカバー６０の引っ掛け部６１上端とノブホルダー８０の長穴８１上端が当接している状態なので、引っ掛け部６１は長穴８１に押され下方向に移動する。またノブ５０の可動範囲の下端まで移動した時、スライドカバー６０は可動範囲の中間地点より下を越える辺りに配置される。このときのスライドカバー６０の位置を開中間位置（第２位置に対応）とする。このとき、スライドカバー６０の引っ掛け部６１は、長穴８１の上端に位置しているが、中立バネ６５は中間地点を越える辺りで上方向の付勢から反転し下方向の力が掛かり始める。このため、スライドカバー６０には、この位置において中立バネ６５から下方向への力が働く。この時引っ掛け部６１下端と長穴８１下端の間には隙間がある。この状態が図５（ｃ）（ｄ）に示す開中間状態である。
【００３２】
その後、中立バネ６５の作用により、スライドカバー６０が下方向に移動し、スライドカバー６０の引っ掛け部６１の下端がノブホルダー８０の長穴８１下端に位置する。すなわち図５（ｅ）（ｆ）に示す開状態となる。このときのスライドカバー６０の位置を開位置とする。また開状態において、スライドカバー６０は、中立バネ６５により下方に付勢される。その結果、スライドカバー６０は開状態を保持する。
【００３３】
（開→閉）
図６（ｅ）（ｆ）に示すようにスライドカバー６０が開状態（開位置）にある時、ノブ５０は可動範囲の下端に位置している。ユーザーがノブ５０を、ノブ５０の可動範囲の上端まで移動させると、スライドカバー６０の引っ掛け部６１下端とノブホルダー８０の長穴８１下端が当接している状態なので、引っ掛け部６１は長穴８１に押され上方向に移動する。またノブ５０の可動範囲の上端まで移動した時、スライドカバー６０は可動範囲の中間地点より上を越える辺りに配置される。このときのスライドカバー６０の位置を閉中間位置（第１位置に対応）とする。このとき、スライドカバー６０の引っ掛け部６１は、長穴８１の下端に位置しているが、中立バネ６５は中間地点を越える辺りで下方向の付勢から反転し上方向の力が掛かり始める。このため、スライドカバー６０には、この位置において中立バネ６５から上方向への力が働く。この時引っ掛け部６１上端と長穴８１上端の間には隙間がある。この状態が図６（ｃ）（ｄ）に示す閉中間状態である。
【００３４】
その後、中立バネ６５の作用により、スライドカバー６０が上方向に移動し、スライドカバー６０の引っ掛け部６１の上端がノブホルダー８０の長穴８１上端に位置する。すなわち図６（ａ）（ｂ）に示す閉状態（閉位置）に遷移する。また閉状態において、スライドカバー６０は、中立バネ６５により上方に付勢される。その結果、スライドカバー６０は閉状態を保持する。
【００３５】
このように、本実施形態のデジタルカメラ１００は、スライドカバー６０に必要な可動範囲よりもノブ５０のストロークを小さくすることができる。このため、デジタルカメラ１００の小型化が可能となる。さらに、ノブ５０のストロークが小さく出来るため、外観上の設計の自由度が向上する。
【００３６】
（作用及び効果）
実施形態に係るデジタルカメラ１００は、前面穴１１を有する前板１０と、前面穴１１を塞ぐ閉位置と、前面穴１１が開口する開位置との間で、前板１０に対して移動可能なスライドカバー６０と、少なくとも、スライドカバー６０が閉位置と開位置との間に位置する閉中間位置よりも閉位置側に位置するときにスライドカバー６０を閉位置に向かう方向に付勢すると共に、少なくとも、スライドカバー６０が閉中間位置と開位置との間に位置する開中間位置よりも開位置側に位置するときにスライドカバー６０を開位置に向かう方向に付勢する中立バネ６５と、スライドカバー６０と当接可能であり、スライドカバー６０を閉中間位置および開中間位置の間で移動させることが可能なノブ５０と、を備える。
【００３７】
そのため、ユーザがノブ５０を操作してスライドカバー６０を閉中間位置まで移動させると、中立バネ６５の作用によりスライドカバー６０は閉位置まで移動する。また、ユーザがノブ５０を操作してスライドカバー６０を開中間位置まで移動させると、中立バネ６５の作用によりスライドカバー６０は開位置まで移動する。したがって、スライドカバー６０を閉位置と開位置との間で移動させるために、ノブ５０は閉中間位置と開中間位置とに対応する位置の間で移動可能であればよくなる。すなわち、スライドカバー６０の移動範囲よりも、ノブ５０の移動範囲（ストローク）を短くすることができる。このため、外装部材である前板１０におけるノブ５０の、可動範囲も含めた設置面積が小さくてすむため、デジタルカメラ１００をその分小型化することが可能となる。
【００３８】
（その他の実施形態）
本発明は上記の実施形態によって記載したが、この開示の一部をなす論述及び図面はこの発明を限定するものであると理解すべきではない。この開示から当業者には様々な代替実施形態、実施例及び運用技術が明らかとなろう。
【００３９】
（Ａ）上記実施形態では、「外装部材」の一例として前板１０について説明したが、これに限られるものではない。「外装部材」としては、他に後板２０が挙げられる。また、ノブ５０が設けられる位置は、デジタルカメラ１００の前面の他、背面、上面、下面、側面であってもよい。
【００４０】
（Ｂ）上記実施形態では、中立バネ６５ひとつでスライドカバー６０を上下の双方向に付勢する構成について説明したが、これに限られるものではない。すなわち、上下の各々の方向に付勢する弾性部材を独立して設けるようにしてもよい。
【００４１】
（Ｃ）上記実施形態では、スライドカバー６０の移動方向と、ノブ５０の移動方向とが共に上下方向で一致する構成について説明したが、これに限られるものではなく、互いに移動方向が異なっていてもよい。例えば、上下方向に移動するスライドカバーに対し、ノブをデジタルカメラの上面に、前後方向に移動可能に配置する。この場合ノブの前後方向の移動を、ギア、リンク機構、弾性を備え湾曲された棒状または板状の部材等を用いて上下方向に変換してスライドカバーに伝達すればよい。
【００４２】
（Ｄ）上記実施形態では、レンズ４０に対してスライドカバー６０を開閉可能なデジタルカメラ１００について説明した。しかしながら、スライドカバー６０にて開閉可能な部分はレンズに限らない。例えば、機器の外部端子が設けられた部分のカバー、すなわち端子カバーを開閉する機構として構成してもよい。また、機器に電源を供給する電池の格納部において、スライド式の蓋として構成してもよい。
【００４３】
（Ｅ）上記実施形態では、「電子機器」の一例としてデジタルカメラ１００を挙げて説明したが、これに限られるものではない。「電子機器」としては、ビデオカメラ、携帯電話、ＩＣレコーダーなどが挙げられる。
【００４４】
このように、本発明はここでは記載していない様々な実施形態等を含むことは勿論である。従って、本発明の技術的範囲は上記の説明から妥当な特許請求の範囲に係る発明特定事項によってのみ定められるものである。
【産業上の利用可能性】
【００４５】
本発明によれば、操作レバーの設置面積の小型化が可能な電子機器及び撮像装置を提供することができるので、電子機器分野に利用可能である。
【符号の説明】
【００４６】
１０  前板
１１  前面穴
１６  固定ボス
１７  ノブ開口部
１８  ノブホルダーレール
２０  後板
４０  レンズ
５０  ノブ
５７  ボス
６０  スライドカバー
６０ａ  バネ掛けピン
６１  引っ掛け部
６５  中立バネ
６５ａ  バネ掛け部
６５ｂ  バネ掛け部
６８  スライドピン
７０  カバーホルダー
７０ｂ  バネ掛けボス
７２  バネ可動穴
７３  レンズ開口穴
７６  ビス穴
７８  カバーレール
８０  ノブホルダー
８１  長穴
８７  ビス穴
８８  ピン
９６  ビス
９７  ビス
【図１】
2013029629.tif 000003
【図２】
2013029629.tif 000004
【図３】
2013029629.tif 000005
【図４】
2013029629.tif 000006
【図５】
2013029629.tif 000007
【図６】
2013029629.tif 000008